(57)【要約】【課題】データを入力する項目に対して、キーボードの操作に不慣れであっても比較的簡単にデータを入力できる装置を提供する。【解決手段】複数の入力項目を備え各入力項目に情報が入力されるシートを表示する表示器と、情報を入力する少なくとも二種類の入力方法を備えた入力手段と、前記シートの入力項目ごとに前記入力手段が備える入力方法の一つを設定する入力設定手段と、選択された入力項目について前記入力設定手段から入力方法を読み出す読出手段と、選択された入力項目に入力された情報を記憶する情報記憶手段とを備えたデータ入力装置とした。【選択図】  図３
2013145439.tif 000002
【特許請求の範囲】
【請求項１】
複数の入力項目を備え各入力項目に情報が入力されるシートを表示する表示器と、
情報を入力する少なくとも二種類の入力方法を備えた入力手段と、
前記シートの入力項目ごとに前記入力手段が備える入力方法の一つを設定する入力設定手段と、
選択された入力項目について前記入力設定手段から入力方法を読み出す読出手段と、
選択された入力項目に入力された情報を記憶する情報記憶手段と
を備えたデータ入力装置。
【請求項２】
入力項目に入力された情報を確定する確定キーと、
前記読出手段で読み出した入力方法とは異なる入力方法で前記入力項目に入力可能とする入力選択手段と、
前記確定キーが押されたならば前記入力選択手段で異なる入力方法を用いられているかを検出する検出手段と、
前記確定キーで入力項目の情報が確定された際に、前記検出手段が検出した入力方法と前記入力設定手段に設定された入力方法とが異なっていたならば、前記検出手段で検出した入力方法を前記入力設定手段に設定する入力変更手段と
をさらに有する請求項１記載のデータ入力装置。
【請求項３】
前記入力設定手段で設定される入力方法の一つは手書き入力が可能な手書き入力手段であり、異なる入力方法の一つとして複数のキーが配置されたキーボードである
請求項１または２記載のデータ入力装置。
【請求項４】
前記読出し手段で読み出した設定方法が手書き入力であれば、手書き入力用画面を前記表示器に表示して手書きの入力を可能とする手書き入力表示手段と
をさらに備えた請求項３記載のデータ入力装置。
【請求項５】
直前の入力項目の入力方法が手書きの入力で手書き入力用画面が前記表示器に表示されている状態で、前記入力設定手段から新たな入力項目の入力方法を読み出した際に前記読出手段で読み出した入力方法がキーボード入力であれば、手書き入力用画面を前記表示器から消去する消去手段と
をさらに備えた請求項４記載のデータ入力装置。
【請求項６】
表示器と、記憶部と、データを入力するための複数の入力方法を有する入力部とを備えたデータ入力装置に、
データが入力される複数の入力項目を有するシートのそれぞれに前記入力部の１つの入力方法を前記記憶部に設定する入力設定手段、
選択された入力項目に対する前記入力設定手段で設定された入力方法を読み出す読出し手段、
選択された入力項目について前記読出し手段で読み出した入力方法で入力された情報を前記記憶部に記憶させる情報記憶手段
として機能させるデータ入力装置のデータ入力プログラム。
【発明の詳細な説明】
【技術分野】
【０００１】
本発明の実施形態は、データ入力装置およびデータ入力装置のプログラム
に関する。
【背景技術】
【０００２】
帳票などのようにあらかじめ決められたフォーマットの中にキーボードなどを用いてデータを入力して、そのデータが入力された帳票をプリンタで複写紙に印刷する事務用の情報処理装置が知られている。このような装置で帳票の各項目へ入力するときに、あらかじめ設定された順に各項目を入力することができるように、ある項目のデータ入力が終わったならば確定キーを押すと次の項目にカーソルが自動的に移動するようにしたものがある。
【０００３】
各項目への入力方法として、通常良く用いられるのがキーボードであり、アルファベット、かな、漢字や数字などの入力する文字種に関係なく多用される。また、キーボードの操作に不慣れな人に対して入力が容易にできるようにするため、あるいは読み方が分からない漢字などを入力するために、手書き入力による入力方法を利用できるようにしたものもある。手書き入力を行なう場合には、周知のように接続されたマウスを用いて入力できるようにした情報処理装置がある。また、手書き入力の他の方法として、表示器がタッチパネルとされた装置においては、画面を直接指などで触れることによって手書きでデータを入力できるようにしたものもある。手書きの入力においては、入力されたデータから文字を認識して入力を行なうものである。
【先行技術文献】
【特許文献】
【０００４】
【特許文献１】特開平０７−３３４２８７号公報
【発明の概要】
【発明が解決しようとする課題】
【０００５】
ところで、入力方法をキーボードから手書きに変えたいとき、手書き入力を行なうたびに手書き用の画面を表示させなければならないと、その入力方法を切り替える操作が面倒である。このため、せっかく備えられた手書き入力方法が使用されずに、操作者が手書きに慣れていない場合であっても、キーボード入力を使い続けている場合がある。
【課題を解決するための手段】
【０００６】
本実施例では、複数の入力項目を備え各入力項目に情報が入力されるシートを表示する表示器と、情報を入力する少なくとも二種類の入力方法を備えた入力手段と、前記シートの入力項目ごとに前記入力手段が備える入力方法の一つを設定する入力設定手段と、選択された入力項目について前記入力設定手段から入力方法を読み出す読出手段と、選択された入力項目について前記読出手段で読み出した入力方法で入力された情報を記憶する情報記憶手段とを備えたデータ入力装置とした。
【図面の簡単な説明】
【０００７】
【図１】この実施の形態のデータ入力装置の電気的接続を示す回路ブロック図。
【図２】このデータ入力装置のＨＤＤに形成された領域のメモリマップを示す図。
【図３】このデータ入力装置が実行する処理を示すフローチャート。
【図４】このデータ入力装置で用いられる入力シートの表示例を示す図。
【図５】このデータ入力装置で表示された入力シートの入力項目に関する設定画面を示す図。
【図６】このデータ入力装置の手書き入力用キーボードの一例を示す図。
【発明を実施するための形態】
【０００８】
以下、図１ないし図６を用いて、この実施の形態のデータ入力装置を、帳票を作成することに適した事務用コンピュータに適用した例で説明する。図１はこの実施の形態のデータ入力装置の電気的接続を示す回路ブロック図、図２はＨＤＤに形成された領域のメモリマップを示す図、図３はこのデータ入力装置が実行する処理を示すフローチャート、図４はこのデータ入力装置で用いられる入力シートの表示例を示す図、図５はこのデータ入力装置で表示された入力シートの入力項目に関する設定画面を示す図、図６はこのデータ入力装置の手書き入力用キーボードの一例を示す図である。
【０００９】
この実施の形態の事務用コンピュータ１は、ＣＰＵ（Ｃｅｎｔｒａｌ  Ｐｒｏｃｅｓｓｉｎｇ  Ｕｎｉｔ）２にバスライン３を介してＲＯＭ（Ｒｅａｄ  Ｏｎｌｙ  Ｍｅｍｏｒｙ）４、ＲＡＭ（Ｒａｎｄｏｍ  Ａｃｃｅｓｓ  Ｍｅｍｏｒｙ）５、マウスインターフェース（図では「マウスＩ／Ｆ」と示す）６、ハードディスクドライブ装置（図では「ＨＤＤ」と示す）７、表示器８、キーボード９、印字制御部１０が接続される。また、印字制御部１０には、この事務用コンピュータ１に一体に形成されたプリンタ１１が接続される。このプリンタ１１は、インパクトドットヘッドで画像を形成するものである。
【００１０】
ＲＯＭ４は、例えば電源を立ち上げたときに初期処理を行なうプログラムなどを記憶している。ＲＡＭ５は、この事務用コンピュータ１が動作するときにワークエリアとして使われる。マウスインターフェース６には、この事務用コンピュータ１で用いられるマウスが接続される。ハードディスクドライブ装置７は、各種アプリケーションソフトウェアを記憶すると共に、詳細は後述する図２に示す領域が形成される。表示器８は、タッチパネルとして画面にタッチして入力可能な液晶表示器であり、各種の情報を表示すると共に、画面をタッチペンや手で触ってデータ入力が可能である。なお、このタッチパネルは、詳細は後述するが図６で示すポップアップ画面６１による手書き入力を行なうときにも用いられる。キーボード９は、アルファベットやテンキーおよび確定キーを含む多数のキーが配置されたいわゆるフルキーボードであって、アルファベットキーによるかな漢字変換のための入力が可能であると共に、テンキーから数値を入力できる。なお、このキーボード９は、表示器８の画面上に表示されたキーボードにより構成されたものであってもよい。印字制御部１０は、プリンタ１１にセットされた用紙にキーボード９などから入力されたデータをプリンタ１１で印字するための制御を行なうものである。
【００１１】
ここで、この事務用コンピュータ１で用いられる帳票と、プリンタ１１について説明する。帳票は、複数の用紙が重ね合わされて形成された複写紙であって、１枚目の用紙に強い押圧力で文字などを印字すると、この強い押圧力によって２枚目以降の用紙に文字などが形成されるものである。プリンタ１１は、いわゆるインパクトドットヘッドを用いた転写式のリンタであって、多数のドットによって文字などを生成するものである。また、インパクトタイプの転写式プリンタであるため、印字ヘッドがインクリボンを挟んで用紙に対向し、用紙に強く押圧力を与えてインクリボンのインクを１枚目の用紙に転写して印字を行なう。
【００１２】
上述したようにハードディスクドライブ装置７は、図２に示すシート情報記憶領域２１、入力設定領域２２、手書きの表示フラグ領域２３の各領域が形成されている。シート情報記憶領域２１は、シートの各項目のデータを記憶するもので、ここに記憶したデータは印字命令によってプリンタ１１で印刷される。入力設定領域２２は、シートの各入力項目の入力に関するプロパティを記憶するもので、そのプロパティの一つとして入力方法がキーボードと手書きのいずれであるかの設定情報が記憶される。表示フラグ領域２３は、後述する手書き用のポップアップ画面６１が表示器８に表示されているときに「１」となり、ポップアップ画面が消えているときには「０」となる表示フラグを記憶する領域である。
【００１３】
次にこの事務用コンピュータ１が実行する処理を説明する。電源が投入されると、初期処理を行なった後にアプリケーションソフトウェアを起動するための複数のアイコンが表示器８に表示する。担当者は、この表示器８に表示された中で実行したいアプリケーションのアイコンを、タッチペンや指、あるいはマウスで指定して、アプリケーションソフトウェアを立ち上げる。例えば納品書の入力を行ないたいのであれば、納品書のアイコンを指定することで納品書のアプリケーションが立ち上がって、図４に示すような納品書の入力用画面が表示される。
【００１４】
納品書が表示されたならば、図３に示す処理が実行される。最初に図４の（１）で示される「伝票区分」の入力項目について、入力設定領域２２からこの入力項目の設定情報が取り込まれる（Ａｃｔ１）。設定情報は図５に示されるようなエディットボックスで設定可能である。ここで、入力シート２４の（１）「伝票区分」の入力項目に、この入力シート２４を作成するときに「ＤＥＮ  ＫＢＮＮＯ」という項目名で設定されていれば、この項目名の設定画面である図５のプロパティ画面の最上段に「ＤＥＮ  ＫＢＮＮＯ」と示される。取得した入力設定領域２２の設定情報に基づいてこの項目がキーボード入力と手書き入力のいずれの入力方法であるかを判断し（Ａｃｔ２）、キーボード入力の設定であれば手書きのポップアップ画面６１が表示されているか否かを、表示フラグ領域２３が「１」であるか「０」であるかで判断し（Ａｃｔ３）、ポップアップ画面６１が表示されていたらこのポップアップ画面６１を画面から消去する（Ａｃｔ４）。また、Ａｃｔ２の判断でキーボードの入力の設定でないと判断されれば、手書き入力の設定であることなので、表示フラグ領域２３が「１」であるか「０」であるかで判断し（Ａｃｔ５）、表示フラグが「０」でポップアップ画面６１が表示されていなければポップアップ画面６１を表示する（Ａｃｔ６）。
【００１５】
Ａｃｔ２ないしＡｃｔ６による、ポップアップ画面６１を表示するあるいは消去する処理が終わった後に、キーボード９からの入力があったか否かを判断する（Ａｃｔ７）。キーボード９からの入力がなければ手書き入力があったか否かを判断し（Ａｃｔ８）、手書き入力がなければＡｃｔ７の処理に戻り、キーボード９あるいは手書きのいずれかの入力を待つ。なお、キーボード入力の際には、ポップアップ画面６１が表示されていないためＡｃｔ８で手書きによる入力が行なわれることがないが、ポップアップ画面６１が表示されている場合に、キーボード９から入力があった場合には、そのキー入力を無視する。Ａｃｔ７でキー入力があると判断したならば、その入力されたキーがマウスによる手書きポップアップ画面６１の表示を行うための手書き起動キー６２か否かを判断し（Ａｃｔ９）、手書き起動キー６２であればポップアップ画面６１を表示し（Ａｃｔ１０）、表示フラグ領域２３を「１」として（Ａｃｔ１１）、Ａｃｔ７のキー入力か否かの判断に戻る。手書き起動キー６２の入力でなければ確定キーが押されたか否かを判断し（Ａｃｔ１２）、確定キーでなければその他のキーの入力処理を行い（Ａｃｔ１３）、Ａｃｔ７に戻る。
【００１６】
Ａｃｔ８で手書き入力があると判断したならば、ポップアップ画面６１の消去入力か否かを判断し（Ａｃｔ１４）、消去入力であればポップアップ画面６１の表示を消し（Ａｃｔ１５）、表示フラグ領域２３を「０」にする（Ａｃｔ１６）。ここでポップアップ画面６１の消去入力は、図６の右上に「×」で示されるアイコンである消去キー７０をマウスでクリックすることで実行される。消去入力でなければ、確定キーが押されたか否かを判断し（Ａｃｔ１７）、確定キーでなければ手書き入力の処理を行う（Ａｃｔ１８）。手書き入力については、公知の技術であり詳細な説明は行なわない。なお、確定キー６９は、現在入力している入力項目のデータが確定したときに操作されるキーである。
【００１７】
ここで、Ａｃｔ７に示すキー入力の判断は、キーボード９に備えられた各キーから入力された場合の処理であり、Ａｃｔ８に示す手書き入力は、表示されたポップアップ画面６１から入力された場合の処理である。
【００１８】
Ａｃｔ１２およびＡｃｔ１７のいずれかにおいて確定キーが押されたと判断したならば、入力項目に入力されたデータを項目情報記憶領域２１に保存し（Ａｃｔ１９）、入力設定領域２２に記憶した入力方法がキーボード９の入力か手書き入力かを判断する（Ａｃｔ２０）。この判断でキーボード９の入力が設定されていると判断されたら、表示フラグが１か否かにより手書きのポップアップ画面６１が表示されているか否かを判断し（Ａｃｔ２１）、表示されていなければこの処理を抜けて、表示されていれば入力設定領域２２のこの入力項目について入力方法を手書き入力方法に設定して（Ａｃｔ２２）、この処理を抜ける。また、Ａｃｔ２０で入力方法がキーボード９でないと判断すれば、手書き入力の入力方法が設定されているので、ポップアップ画面６１が表示されているか否かを判断し（Ａｃｔ２３）、ポップアップ画面６１が表示されていればこの処理を抜けて、表示されていなければこの入力項目の入力設定領域２２の入力方法をキーボード９の入力方法に設定して（Ａｃｔ２４）、この処理を抜ける。
【００１９】
この処理を抜けると次の入力項目にカーソルが移動するので、次の入力項目の入力処理として、図３のフローチャートに示す処理が繰り返し行なわれる。例えば今までの入力が、図４の（１）で示すシートの「伝票区分」の入力であれば、確定キーを押されたら（２）で示される伝票日付の入力となる。同様に（２）伝票日付の入力が確定すれば、（３）で示される伝票Ｎｏの入力となる。以下同じように、確定キーが押されるごとに丸付き数字の順に入力項目が選択される。
【００２０】
次に、図４を用いて入力シート２４が表示器８に表示される表示の一例を説明する。この入力シート２４は、前述したように納品書のデータを入力するものである。
【００２１】
入力シート２４の上部中央には、この入力シート２４が納品書であることを示すため「納品書」と表示され、上部右端には手書き起動キー６２がある。上記したように手書き起動キー６２をマウスでクリックすると、手書き用のポップアップ画面６１が表示される。また、入力シート２４には、図４に一点鎖線で囲んで示すヘッダー部２５と明細部２６が設けられる。ヘッダー部２５は「伝票区分」、伝票日付などのシートに共通する部分であり、明細部は納品する商品の明細を入力する部分である。
【００２２】
それぞれの入力項目の設定画面６３を図５に示す。この設定画面６３は、入力シート２４の（１）「伝票区分」の入力を設定するためのエディット用画面であり、上部にはエディットボックスプロパティ［ＤＥＮ＿ＫＢＮＮＯ］と表示される。入力シート２４を最初に作成するときにこのような画面で各種のデータを設定するとことができ、かつ入力シート２４が表示されている状態から入力項目のプロパティを表示させことでも設定が可能である。設定画面には、標準、スタイル、表示、条件の４つのタブが設けられ、図５に示すものはスタイルのタブが選択された状態である。なお、これらのデータは、入力設定領域２２に保存されている。
【００２３】
このエディット用画面のほぼ中央位置する破線で囲む部分に設けられた入力方法の設定領域６４で、「キーボード」と「手書き」とが選択できるようになっている。ここでの設定方法は、すでに周知の技術と同じように、「キーボード」にチェックがあればこの入力項目の入力方法はキーボード９からの入力になり、「手書き」にチェックがあれば入力方法は手書きとなる。
【００２４】
図６は手書き用のポップアップ画面６１である。選択された入力項目に手書きが設定されていれば、この入力項目を選択したときにこのポップアップ画面６１が表示される。また、入力シート２４に表示されている手書き起動キー６２がマウスでクリックされるか、タッチペンでタッチ（押圧）されると、ポップアップ画面６１が起動する。このポップアップ画面には左側に大きく領域を占有する入力部と右側に位置するボタン部とに分けられる。入力部には、画面下側に手書きの文字を認識するためにタッチペンなどでデータを書き込むデータ領域６５が設けられる。このデータ領域は図面では５つの枠に分けられていて、一つの枠内に例えばひらがなを書き込むとひらがな一文字が認識されるし、漢字を書き込めば漢字が認識される。また、このデータ領域６５の上に表示される文字種選択キー６６によって、データ領域６５に入力された文字が漢字、ひらがな等のどの文字種を認識するかを指定することが可能で、認識する文字種を指定することで手書き文字の認識率を高めることができる。また、確定文字領域６７は、手書きで入力された文字が確定された場合に、その文字を表示するための領域である。この図６では、確定文字領域６７の左端にカーソルが点滅（図では単に四角で表している）し、何番目の文字列かが分かるようになっている。ボタン部には、変換キー６８、確定キー６９などが設けられている。変換キー６８は、データ領域６５に入力された一つまたは複数のひらがなから漢字に変換する場合に用いられるキーである。確定キー６９は、この入力項目の入力が終了したならば操作されるキーである。また、この表示画面には、このポップアップ画面６１を消去するための終了キー７０が設けられている。この終了キー７０をマウスあるいはタッチペンなどで操作すると、ポップアップ画面が消えてキーボード９の入力となる。
【００２５】
入力シート２４への入力が終わり印刷を行なう場合には、まず帳票となる用紙をプリンタ１１にセットして、印刷ボタンを押す。するとこの事務用コンピュータ１は、入力された情報を用紙にプリンタ１１で印字を行なう。用紙は前述したように複写紙であれば、重ねられたすべてのシートに文字などが印字される。
【００２６】
このように、この事務用コンピュータ1では、入力項目を選択すると選択した入力項目の入力方法を自動的に取得して設定するため、例えばキーボード９の入力方法から手書きの入力方法へ設定を変更する手間が不要となり、簡単に入力できるようになる。また、この設定についても、図５に示すプロパティ画面を表示して入力設定領域２２の設定を変えるという簡単な方法で変更可能である。また、入力開始時の入力方法の設定と入力確定時の入力方法が異なっていた場合には、入力項目の入力が確定した時の入力方法が自動的に記憶領域に保存されて、次回の入力方法として設定される。従って、入力方法を変更操作が不要となり、使いやすいものとなる。
【００２７】
また、入力項目のデータ入力が確定されると、あらかじめ決められた入力項目に移動して、確定された入力項目がキーボード９の入力方法で新たな入力項目が手書きの入力方法であれば、手書きポップアップ画面６１が自動的に表示されるし、逆に、確定された入力項目が手書きの入力方法で新たな入力項目がキーボード９の入力方法であれば、手書きポップアップ画面６１が自動的に消されるため、この事務用コンピュータ1の使用者は入力方法の設定を気にすることなく、自動的に手書き入力用ポップアップ画面６１が表示され、あるいは消えるために、データを入力するだけでよい。
【００２８】
上述したように、入力項目が確定したときに、用いていた入力方法が設定されている入力方法と異なっていたならば自動的に設定が変更されるが、表示画面上での入力方法の設定操作によっても行なえる。つまり、キーボード９と手書きの入力方法の設定は、図５に示すような設定画面を立ち上げ、マウスなどを用いて設定したい入力方法をクリックするだけで簡単に行なえるため、事務用コンピュータ１の操作に不慣れなものでも簡単に設定が行なえる。
【００２９】
この実施の形態では、プリンタ１１を備えた事務用コンピュータ１で帳票に印字するものに適応した例で説明したが、帳票にデータを入力するものでなくても適用できる。また、例えばプリンタは別体の装置であってもよいし、プリンタとは接続できない装置であっても適用可能である。この例では、キーボード９と手書きの２種類の入力方法の例で説明したが、例えば音声認識などの他の入力方法も採用可能であり、キーボード９、手書き、音声などの３種類以上の入力方法を持った装置でも良い。
【００３０】
この実施の形態では、事務用コンピュータという装置の例で説明したが、例えば、ここで説明した事務用コンピュータなどのハードウェアにインストール可能なプログラムとして、インターネットなどの通信回線を用いて提供することも可能であるし、また、このプログラムをＣＤ−ＲＯＭ（Ｃｏｍｐａｃｔ  Ｄｉｓｋ  Ｒｅａｄ  Ｏｎｌｙ  Ｍｅｍｏｒｙ）  などの記憶媒体に記憶した状態でも提供可能である。
【００３１】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、修正を行うことができる。これら実施形態やその変形は、発明の範囲や要旨に含まれるとともに、特許請求の範囲に記載された発明とその均等の範囲に含まれる。
【符号の説明】
【００３２】
１・・事務用コンピュータ
９・・キーボード
１１・・プリンタ
６１・・手書き用ポップアップ画面
６２・・手書き起動キー
７０・・手書き用ポップアップ画面の終了キー
【図１】
2013145439.tif 000003
【図２】
2013145439.tif 000004
【図３】
2013145439.tif 000005
【図４】
2013145439.tif 000006
【図５】
2013145439.tif 000007
【図６】
2013145439.tif 000008